(57)【要約】【課題】超高密度光ディスクとＤＶＤとＣＤを選択的に記録又は再生できる光ピックアップ装置を提供する。【解決手段】超高密度光ディスク用の第１レーザー光源１２と、ＤＶＤ用の第２レーザー光源１３と、ＣＤ用の第３レーザー光源１４と、超高密度光ディスク用として設計した開口数（ＮＡ）が０．７５以上である対物レンズ３１と、第１〜第３レーザー光源１２〜１４と対物レンズ４３との間に設けられ、枠体３１内に第１収差補正素子３２を第１〜第３レーザー光源側に向かって収納し、且つ、第２収差補正素子３６を対物レンズ側に向かって収納した収差補正素子組立体３０とを備えた光ピックアップ装置１０を提供する。【選択図】      図１
2005011466.tif 000002
【特許請求の範囲】
【請求項１】
第１光記録媒体と、前記第１光記録媒体よりも記録密度が低い第２光記録媒体と、前記第２光記録媒体よりも記録密度が低い第３光記録媒体と、第１〜第３光記録媒体を適宜組み合わせて一体的に形成した組み合わせ型光記録媒体とを選択的に記録又は再生する光ピックアップ装置において、
前記第１光記録媒体に対応して第１レーザー光を出射させる第１レーザー光源と、
前記第２光記録媒体に対応して前記第１レーザー光よりも波長が長い第２レーザー光を出射させる第２レーザー光源と、
前記第３光記録媒体に対応して前記第２レーザー光よりも波長が長い第３レーザー光を出射させる第３レーザー光源と、
第１光記録媒体用として開口数（ＮＡ）が０．７５以上に設定され、且つ、互いに対向する第１，第２面のうち少なくとも一方の面が非球面に形成されて、第１〜第３レーザー光を第１〜第３光記録媒体の各信号面に集光させる対物レンズと、
前記第１〜第３レーザー光源と前記対物レンズとの間に設けられ、枠体内に第１収差補正素子を前記第１〜第３レーザー光源側に収納し、且つ、第２収差補正素子を前記対物レンズ側に収納した収差補正素子組立体とを備え、
前記第１収差補正素子は、前記第１，第２レーザー光をそのまま透過させた後に前記第２収差補正素子に入射させる一方、前記第３レーザー光に対して前記対物レンズへの開口を制限し且つ前記第３レーザー光を前記第３光記録媒体に対して収差を補正するように回折させた後に前記第２収差補正素子に入射させ、
前記第２収差補正素子は、前記第１レーザー光をそのまま透過させた後に前記対物レンズに入射させる一方、前記第２レーザー光に対して前記対物レンズへの開口を制限し且つ前記第２，第３レーザー光を第２，第３光記録媒体に対して収差を補正するように回折させた後に前記対物レンズに入射させることを特徴とする光ピックアップ装置。
【請求項２】
請求項１記載の光ピックアップ装置において、
前記第１収差素子は、前記枠体内で前記第１〜第３レーザー光源側に収納した第１回折素子の内周領域に前記第１，第２レーザー光を透過させるも前記第３レーザー光を回折させるための第１階段状回折パターン部をリング状に形成し、且つ、前記内周領域に隣接した外周領域に前記第１，第２レーザー光を透過させるも前記第３レーザー光に対して前記対物レンズへの開口を制限するための第１開口制限部を形成すると共に、第１液晶を前記第１階段状回折パターン部及び前記第１開口制限部と第１光透過性部材との間に封入し、
前記第２収差素子は、前記枠体内で前記対物レンズ側に収納した第２回折素子の内周領域に前記第１レーザー光を透過させるも前記第２，第３レーザー光を回折させるための第２階段状回折パターン部を前記第１階段状回折パターン部の最大径よりも大径でリング状に形成し、且つ、前記内周領域に隣接した外周領域に前記第２レーザー光に対して前記対物レンズへの開口を制限するための第２開口制限部を形成すると共に、必要に応じて第２液晶を前記第２階段状回折パターン部及び前記第２開口制限部と第２光透過性部材との間に封入したことを特徴とする光ピックアップ装置。
【発明の詳細な説明】
【０００１】
【発明の属する技術分野】
本発明は、波長が異なる第１〜第３レーザー光源を用いて基板厚さが異なる第１〜第３光記録媒体を選択的に記録又は再生する際に、一つの対物レンズと、内周領域にレーザー光を回折するための階段状回折パターン部を形成し且つ外周領域に対物レンズへの開口を制限するための開口制限部を形成した第１，第２収差補正素子とを備えた光ピックアップ装置に関するものである。
【０００２】
【従来の技術】
一般的に、円盤状の光ディスクやカード状の光カードなどの光記録媒体は、映像情報とか音声情報やコンピュータデータなどの情報信号を透明基板上で螺旋状又は同心円状に形成したトラックに高密度に記録し、且つ、記録済みのトラックを再生する際に所望のトラックを高速にアクセスできることから多用されている。
【０００３】
この種の光記録媒体となる光ディスクとして例えばＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などは既に市販されているが、最近になって光ディスクに対してより一層高密度化を図るために、ＣＤ，ＤＶＤよりも情報信号を超高密度に記録又は再生できる超高密度光ディスク（Ｂｌｕ  Ｒａｙ  Ｄｉｓｃ）の開発が盛んに行われている。
【０００４】
まず、上記したＣＤは、波長が７８０ｎｍ前後のレーザー光を開口数（ＮＡ）が０．４５程度の対物レンズで絞って得たレーザービームを照射して、レーザービーム入射面から略１．２ｍｍ隔てた位置にある信号面上に情報信号を記録又は再生している。
【０００５】
また、上記したＤＶＤは、波長が６５０ｎｍ前後のレーザー光を開口数（ＮＡ）が０．６程度の対物レンズで絞って得たレーザービームを照射して、レーザービーム入射面から略０．６ｍｍ隔てた位置にある信号面上に情報信号を記録又は再生している。この際、ＤＶＤの記録容量はＣＤよりも６〜８倍高めてディスク基板の直径が１２ｃｍの時に片面で４．７ＧＢ（ギガバイト）程度である。
【０００６】
また、上記した超高密度光ディスクは、波長が４５０ｎｍ以下のレーザー光を開口数（ＮＡ）が０．７５以上の対物レンズで絞って得たレーザービームを照射して、レーザービーム入射面から略０．１ｍｍ隔てた位置にある信号面上に情報信号を記録又は再生できるように開発が進められている。この際、超高密度光ディスクの記録容量はディスク基板の直径が１２ｃｍの時に片面で２５ＧＢ（ギガバイト）前後である。
【０００７】
ところで、３種類の光ディスクを記録又は再生する際に、一つの対物レンズを共用して内部構成を簡素化した光ピックアップ装置がある（例えば、特許文献１参照）。
【０００８】
【特許文献１】
特開２００２−１９７７１７号公報（第４８図）
【０００９】
図１５は従来の光ピックアップ装置の一例を示した構成図である。
図１５に示した従来の光ピックアップ装置１１０は、上記した特許文献１（特開２００２−１９７７１７号公報）に開示されているものであり、ここでは特許文献１を参照して簡略に説明する。
【００１０】
図１５に示した如く、従来の光ピックアップ装置１１０では、光情報記録媒体である光ディスク１００として、透明基板の厚さが０．６ｍｍである第１光ディスク（例えばＤＶＤ）及び第２光ディスク（例えば青色レーザー使用次世代高密度光ディスク）と、透明基板の厚さが１．２ｍｍである第３光ディスク（例えばＣＤ）とを選択的に適用可能に構成されている。
【００１１】
また、従来の光ピックアップ装置１１０内には、第１光ディスク（例えばＤＶＤ）に対応して波長が６１０ｎｍ〜６７０ｎｍのレーザー光を出射する第１半導体レーザー１１１と、第２光ディスク（例えば青色レーザー使用次世代高密度光ディスク）に対応して波長が４００ｎｍ〜４４０ｎｍの青色レーザー光を出射する第２半導体レーザー１１２と、第３光ディスク（例えばＣＤ）に対応して波長が７４０ｎｍ〜８７０ｎｍのレーザー光を出射する第３半導体レーザー１１３と、ビームスプリッタ１１４〜１１６と、絞り１１７と、少なくとも１面上に回折輪帯レンズを設けた一つの対物レンズ１１８と、トーリックレンズ１１９と、検出器１２０とを備えている。
【００１２】
そして、第１〜第３半導体レーザー１１１〜１１３から出射された各発散光束は、３個のビームスプリッタ１１４〜１１６のうちで共用のビームスプリッタ１１６及び絞り１１７を介し、光ディスク１００の透明基板１０１を透過して、対物レンズ１１８によってそれぞれの情報記録面１０２，１０３上に集光され、スポットを形成する。この際、情報記録面１０２は第１，第２光ディスクに対応して０．６ｍｍの位置にあり、情報記録面１０３は第３光ディスクに対応して１．２ｍｍの位置にある。
【００１３】
この後、第１〜第３半導体レーザー１１１〜１１３からの各入射光は、情報記録面１０２，１０３上の情報ピットによってそれぞれ変調された各反射光となり、各反射光は対物レンズ１１８，ビームスプリッタ１１６〜１１４，トーリックレンズ１１９を介して共通の光検出器１２０に入射し、光検出器１２０からの出力信号を用いて光ディスク１００に記録された情報の読み取り信号、合焦検出信号やトラック検出信号が得られる。
【００１４】
この際、光路内に設けられている絞り１１７は、この例においては固定の開口数（ＮＡ０．６５）を有する絞りであるものの、第３光ディスクの記録時又は再生時には不要光（ＮＡ０．４５以上）を除去できるように、絞り１１７の開口数を可変としても良いものである。
【００１５】
また、対物レンズ１１８の光学面に実使用開口の外側の一部の光束を遮蔽するように輪帯状のフィルターを一体に形成することで、実使用開口の外側のフレア光を安価な構成で容易に除去することも可能である旨が開示されている。
【００１６】
【発明が解決しようとする課題】
ところで、従来の光ピックアップ装置１１０によれば、少なくとも１面上に回折輪帯レンズを設けた一つの対物レンズ１１８によって、第１光ディスク（例えばＤＶＤ）と、第２光ディスク（例えば青色レーザー使用次世代高密度光ディスク）と、第３光ディスク（例えばＣＤ）とを選択的に記録又は再生できるものの、対物レンズ１１８の少なくとも１面上に回折輪帯レンズを設けることで、対物レンズ１１８のレンズ性能に悪影響を及ぼす危険性がある。
【００１７】
とくに、最近の開発では、第２光ディスク（例えば青色レーザー使用次世代高密度光ディスク）のディスク基板厚さが上記公報による０．６ｍｍよりも０．１ｍｍ程度まで薄型化され、これにより超高密度化が図られるために、対物レンズへのレンズ性能の要求がより厳しく追及されるようになっている。
【００１８】
そこで、対物レンズの少なくとも１面上に回折輪帯レンズを設けることなく、互いに対向する第１，第２面のうち少なくとも一方の面を非球面に形成し、且つ、開口数（ＮＡ）を０．７５以上に設定した一つの対物レンズを用いて、３種類の光ディスク（光記録媒体）を良好に記録又は再生できる光ピックアップ装置が望まれている。
【００１９】
【課題を解決するための手段】
本発明は上記課題に鑑みてなされたものであり、第１の発明は、第１光記録媒体と、前記第１光記録媒体よりも記録密度が低い第２光記録媒体と、前記第２光記録媒体よりも記録密度が低い第３光記録媒体と、第１〜第３光記録媒体を適宜組み合わせて一体的に形成した組み合わせ型光記録媒体とを選択的に記録又は再生する光ピックアップ装置において、
前記第１光記録媒体に対応して第１レーザー光を出射させる第１レーザー光源と、
前記第２光記録媒体に対応して前記第１レーザー光よりも波長が長い第２レーザー光を出射させる第２レーザー光源と、
前記第３光記録媒体に対応して前記第２レーザー光よりも波長が長い第３レーザー光を出射させる第３レーザー光源と、
第１光記録媒体用として開口数（ＮＡ）が０．７５以上に設定され、且つ、互いに対向する第１，第２面のうち少なくとも一方の面が非球面に形成されて、第１〜第３レーザー光を第１〜第３光記録媒体の各信号面に集光させる対物レンズと、
前記第１〜第３レーザー光源と前記対物レンズとの間に設けられ、枠体内に第１収差補正素子を前記第１〜第３レーザー光源側に収納し、且つ、第２収差補正素子を前記対物レンズ側に収納した収差補正素子組立体とを備え、
前記第１収差補正素子は、前記第１，第２レーザー光をそのまま透過させた後に前記第２収差補正素子に入射させる一方、前記第３レーザー光に対して前記対物レンズへの開口を制限し且つ前記第３レーザー光を前記第３光記録媒体に対して収差を補正するように回折させた後に前記第２収差補正素子に入射させ、
前記第２収差補正素子は、前記第１レーザー光をそのまま透過させた後に前記対物レンズに入射させる一方、前記第２レーザー光に対して前記対物レンズへの開口を制限し且つ前記第２，第３レーザー光を第２，第３光記録媒体に対して収差を補正するように回折させた後に前記対物レンズに入射させることを特徴とする光ピックアップ装置である。
【００２０】
また、第２の発明は、上記した第１の発明の光ピックアップ装置において、
前記第１収差素子は、前記枠体内で前記第１〜第３レーザー光源側に収納した第１回折素子の内周領域に前記第１，第２レーザー光を透過させるも前記第３レーザー光を回折させるための第１階段状回折パターン部をリング状に形成し、且つ、前記内周領域に隣接した外周領域に前記第１，第２レーザー光を透過させるも前記第３レーザー光に対して前記対物レンズへの開口を制限するための第１開口制限部を形成すると共に、第１液晶を前記第１階段状回折パターン部及び前記第１開口制限部と第１光透過性部材との間に封入し、
前記第２収差素子は、前記枠体内で前記対物レンズ側に収納した第２回折素子の内周領域に前記第１レーザー光を透過させるも前記第２，第３レーザー光を回折させるための第２階段状回折パターン部を前記第１階段状回折パターン部の最大径よりも大径でリング状に形成し、且つ、前記内周領域に隣接した外周領域に前記第２レーザー光に対して前記対物レンズへの開口を制限するための第２開口制限部を形成すると共に、必要に応じて第２液晶を前記第２階段状回折パターン部及び前記第２開口制限部と第２光透過性部材との間に封入したことを特徴とする光ピックアップ装置である。
【００２１】
【発明の実施の形態】
以下に本発明に係る光ピックアップ装置の一実施例を図１乃至図１４を参照して＜第１実施例＞，＜第２実施例＞の順に詳細に説明する。
【００２２】
＜第１実施例＞
図１は本発明に係る第１実施例の光ピックアップ装置の全体構成を示した図である。
図１に示した如く、本発明に係る第１実施例の光ピックアップ装置１０は、波長λ１が４５０ｎｍ以下の第１レーザー光Ｌ１により情報信号を超高密度に記録又は再生する第１光記録媒体（以下、超高密度光ディスクと記す）と、波長λ２が第１レーザー光Ｌ１の波長λ１より長く６５０ｎｍ前後の第２レーザー光Ｌ２により情報信号を高密度に記録又は再生する第２光記録媒体（以下、ＤＶＤと記す）２と、波長λ３が第２レーザー光Ｌ２の波長λ２より長く７８０ｎｍ前後の第３レーザー光Ｌ３により情報信号を記録又は再生する第３光記録媒体（以下、ＣＤと記す）３と、第１〜第３光記録媒体を適宜組み合わせて一体的に形成した組み合わせ型光記録媒体とを選択的に適用可能に開発したものである。
【００２３】
尚、第１〜第３光記録媒体を適宜組み合わせて一体的に形成した組み合わせ型光記録媒体としては、第１光記録媒体と第２光記録媒体との組み合わせとか、第１光記録媒体と第３光記録媒体との組み合わせとか、第２光記録媒体と第３光記録媒体との組み合わせとかがあり、これらの組み合わせ型光記録媒体は合計のディスク基板厚さが略１．２ｍｍに形成されるものであるが、以下の説明では個々の光記録媒体について詳述し、組み合わせ型光記録媒体の場合はその応用であるので説明は省略する。
【００２４】
また、以下の説明では、第１〜第３光記録媒体として、円盤状の光ディスクに適用した場合について説明するが、これに限ることなく、カード状の光記録媒体であっても良い。
【００２５】
上記した超高密度光ディスク（Ｂｌｕ  Ｒａｙ  Ｄｉｓｃ）１は、レーザービーム入射面１ａと信号面１ｂとの間のディスク基板厚さｔ１が略０．１ｍｍに薄く設定されて、この上に略１．１ｍｍの補強板を貼り合せて合計厚さが略１．２ｍｍに形成されている。
【００２６】
また、ＤＶＤ（Ｄｉｇｉｔａｌ  Ｖｅｒｓａｔｉｌｅ  Ｄｉｓｃ）２は、レーザービーム入射面２ａと信号面２ｂとの間のディスク基板厚さｔ２が超高密度光ディスク１よりも厚く略０．６ｍｍに設定されて、この上に略０．６ｍｍの補強板を貼り合せて合計厚さが略１．２ｍｍに形成されている。
【００２７】
また、ＣＤ（Ｃｏｍｐａｃｔ  Ｄｉｓｃ）３は、レーザービーム入射面３ａと信号面３ｂとの間のディスク基板厚さｔ３がＤＶＤ２よりも厚く略１．２ｍｍに設定されている。
【００２８】
尚、この実施例では、超高密度光ディスク１，ＤＶＤ２，ＣＤ３の各ディスク基板厚さｔ１，ｔ２，ｔ３が、例えば０．１ｍｍ，０．６ｍｍ，１．２ｍｍに設定されている。
【００２９】
また、超高密度光ディスク１のレーザービーム入射面１ａ又はＤＶＤ２のレーザービーム入射面２ａもしくはＣＤ３のレーザービーム入射面３ａの下方には、本発明に係る第１実施例の光ピックアップ装置１０が各光ディスク１，２，３の径方向に移動自在に設けられている。
【００３０】
上記した本発明に係る第１実施例の光ピックアップ装置１０では、ピックアップ筐体１１内に超高密度光ディスク１に対応して波長λ１が４５０ｎｍ以下の第１レーザー光Ｌ１を出射する第１レーザー光源（以下、青色半導体レーザーと記す）１２と、ＤＶＤ２に対応して波長λ２が６５０ｎｍ前後の第２レーザー光Ｌ２を出射する第２レーザー光源（以下、赤色半導体レーザーと記す）１３と、ＣＤ３に対応して波長λ３が７８０ｎｍ前後の第３レーザー光Ｌ３を出射する第３レーザー光源（以下、赤外半導体レーザーと記す）１４とが設けられている。
【００３１】
この実施例では、青色半導体レーザー１２から出射される第１レーザー光Ｌ１の波長λ１は例えば４０５ｎｍに設定され、また、赤色半導体レーザー１３から出射される第２レーザー光Ｌ２の波長λ２は例えば６６０ｎｍに設定され、更に、赤外半導体レーザー１４から出射される第３レーザー光Ｌ３の波長λ３は例えば７８０ｎｍに設定されている。
【００３２】
まず、超高密度光ディスク１に対応して青色半導体レーザー１２側について説明すると、青色半導体レーザー１２から出射した波長λ１＝４０５ｎｍの第１レーザー光Ｌ１は直線偏光の発散光であり、この発散光がコリメータレンズ１５で平行光となり、第１レーザー光Ｌ１の平行光が偏光ビームスプリッタ１６の半透過反射膜１６ａで反射されて９０°方向を転じた後、第１ダイクロイックプリズム１７のダイクロイック膜１７ａ及び第２ダイクロイックプリズム１８のダイクロイック膜１８ａを順に透過する。
【００３３】
この際、第１ダイクロイックプリズム１７のダイクロイック膜１７ａは、青色半導体レーザー１２から出射された波長λ１＝４０５ｎｍの第１レーザー光Ｌ１に対して透過させ、且つ、赤色半導体レーザー１３から出射された波長λ２＝６６０ｎｍの第２レーザー光Ｌ２に対して反射させるように膜付けされている。
【００３４】
また、第２ダイクロイックプリズム１８のダイクロイック膜１８ａは、青色半導体レーザー１２から出射された波長λ１＝４０５ｎｍの第１レーザー光Ｌ１及び赤色半導体レーザー１３から出射された波長λ２＝６６０ｎｍの第２レーザー光Ｌ２に対して透過させ、且つ、赤外半導体レーザー１４から出射された波長λ３＝７８０ｎｍの第３レーザー光Ｌ３に対して反射させるように膜付けされている。
【００３５】
そして、第１，第２ダイクロイックプリズム１７，１８を透過した第１レーザー光Ｌ１は、立ち上げ用の平面ミラー１９で９０°光線方向を転じた後、第１〜第３レーザー光Ｌ１〜Ｌ３共用の位相板２０を透過して円偏光となる。この際、位相板２０は、各波長λ１〜λ３の第１〜第３レーザー光Ｌ１〜Ｌ３が透過する時に略１／４波長（９０°）の位相差を与えるものである。
【００３６】
また、位相板２０の上方には、第１実施例の要部となる収差補正素子組立体３０がレンズホルダ４１内の下方部位に嵌め込まれ、且つ、超高密度光ディスク用として設計した対物レンズ４２がレンズホルダ４１内の上方部位に取り付けられている。この際、収差補正素子組立体３０は、後述するように、枠体３１内の下方部位に位相板２０側と対向するように第１収差補正素子３２が収納され、且つ、枠体３１内の上方部位に対物レンズ４３側と対向するように第２収差補正素子３６が収納されている。そして、第１，第２収差補正素子３２，３６を収納した枠体３１をレンズホルダ４１内の下方部位に嵌め込んだ際に、第１，第２収差補正素子３２，３６の中心を対物レンズ４３の光軸と一致させることで、コマ収差の発生を抑えている。
【００３７】
この後、位相板２０を透過した第１レーザー光Ｌ１は、レンズホルダ４１内の下方部位に嵌め込んだ収差補正素子組立体３０中の第１，第２収差補正素子３２，３６に回折されることなくそのまま透過し、更に、レンズホルダ４１内の上方部位に取り付けた対物レンズ４２に入射し、第１レーザー光Ｌ１を対物レンズ４２で絞って得た第１レーザービームを超高密度光ディスク１のレーザービーム入射面１ａから入射させて信号面１ｂ上に集光している。
【００３８】
尚、収差補正素子組立体３０の構成と、第１レーザー光Ｌ１に対する収差補正素子組立体３０中の第１，第２収差補正素子３２，３６の作用についての詳細は後述する。
【００３９】
この際、対物レンズ４２は、超高密度光ディスク用として開口数が０．７５以上に設定され、且つ、互い対向する第１，第２面４２ａ，４２ｂのうち少なくとも一方の面が非球面に形成されているものであるが、この実施例では開口数（ＮＡ）が０．８５の単玉レンズであり、且つ、収差補正素子組立体３０側と対向する第１面４２ａ及び各光ディスク１〜３側と対向する第２面４２ｂが共に非球面に形成されて、波長λ１＝４０５ｎｍの第１レーザー光Ｌ１に対して無限共役で最適化されている。そして、第１レーザー光Ｌ１に対して球面収差が最小となる対物レンズ４２と超高密度光ディスク１のレーザービーム入射面１ａとの間の距離、すなわち作動距離は０．４ｍｍ程度である。
【００４０】
また、レンズホルダ４１の外周にはフォーカスコイル４３とトラッキングコイル４４とが一体的に取り付けられ、且つ、レンズホルダ４１の外周に固着させた不図示の複数本のサスペンションワイヤを介してレンズホルダ４１が超高密度光ディスク１又はＤＶＤ２もしくはＣＤ３のフォーカス方向とトラッキング方向とに揺動可能に支持されている。
【００４１】
そして、フォーカスコイル４３とトラッキングコイル４４と不図示の永久磁石とにより、レンズホルダ４１内に取り付けた差補正素子組立体３０中の第１，第２差補正素子３２，３６と対物レンズ４２とをレンズホルダ４１と一体となって超高密度光ディスク１のフォーカス方向とトラッキング方向とに制御している。尚、ＤＶＤ２，ＣＤ３に対してもレンズホルダ４１をフォーカス方向とトラッキング方向に制御している。
【００４２】
この後、対物レンズ４２で集光した第１レーザービームによって超高密度光ディスク１の信号面１ｂへの再生、記録、または消去が行われる。
【００４３】
更にこの後、超高密度光ディスク１の信号面１ｂで反射された第１レーザービームによる戻りの第１反射光は往路と反対回りの円偏光となって対物レンズ４２に再入射し、この対物レンズ４２により平行光となり、往路とは逆に第２，第１収差補正素子３６，３２と位相板２０とを透過して往路とは偏光方向が直交した直線偏光となる。この後、位相板２０を透過した第１反射光は、平面ミラー２０で９０°光線方向を転じた後、第２，第１ダイクロイックプリズム１８，１７のダイクロイック膜１８，１７ａを透過し、往路とは偏光方向が直交した直線偏光であるので偏光ビームスプリッタ１６の半透過反射膜１６ａを透過し、凸レンズ２１で収束光となり、第１光検出器２２に集光する。そして、第１光検出器２２で超高密度光ディスク１の信号面１ｂを再生した時のトラッキングエラー信号，フォーカスエラー信号，メインデータ信号を検出している。
【００４４】
次に、ＤＶＤ２に対応して赤色半導体レーザー１３側について説明すると、赤色半導体レーザー１３から出射した波長λ２＝６６０ｎｍの第２レーザー光Ｌ２は直線偏光の発散光であり、この発散光がホログラムデバイス４５中のホログラム素子４６を通過する。この際、ホログラムデバイス４５は、赤色半導体レーザー１３と、この赤色半導体レーザー１３の上方に設置したホログラム素子４６と、赤色半導体レーザー１３の右方に設置した第２光検出器４７とを不図示の半導体基板上で一体化したものである。
【００４５】
この後、ホログラム素子４６を通過した第２レーザー光Ｌ２は、コリメータレンズ４８で平行光となり、第１ダイクロイックプリズム１７のダイクロイック膜１７ａで反射して９０°光線方向を転じた後、第２ダイクロイックプリズム１８のダイクロイック膜１８ａを透過して立ち上げ用の平面ミラー１９で９０°光線方向を転じ、更に、収差補正素子組立体３０中の第１収差補正素子３２を回折することなくそのまま透過するものの、収差補正素子組立体３０中の第２収差補正素子３６によって第２レーザー光Ｌ２に対して対物レンズ４２への開口数（ＮＡ）が０．６相当になるように外周領域で開口を制限され且つ内周領域で第２レーザー光Ｌ２を回折して、１次回折光が拡散光となって対物レンズ４２に入射し、第２レーザー光Ｌ２を対物レンズ４２で絞って得た第２レーザービームをＤＶＤ２のレーザービーム入射面２ａから入射させて信号面２ｂ上に集光している。
【００４６】
この際、赤色半導体レーザー１３とＤＶＤ２の信号面２ｂとの間の光軸上に配置された集光光学系によって発生する球面収差を収差補正素子組立体３０中の第２収差補正素子３６で補正しているが、この球面収差が最小となった時に、対物レンズ４２とＤＶＤ２のレーザービーム入射面２ａとの間の距離、すなわち作動距離は０．２ｍｍ程度である。
【００４７】
尚、第２レーザー光Ｌ２に対する収差補正素子組立体３０中の第１，第２収差補正素子３２，３６の作用についての詳細は後述する。
【００４８】
この後、対物レンズ４２で集光した第２レーザービームによってＤＶＤ２の信号面２ｂへの再生、記録、または消去が行われる。
【００４９】
更にこの後、ＤＶＤ２の信号面２ｂで反射された第２レーザービームによる戻りの第２反射光は、往路と反対回りの円偏光となって対物レンズ４２に入射し、１次回折光の第２反射光が対物レンズ４２と、第２，第１収差補正素子３６，３２とにより平行光となり、位相板２０を通って平面ミラー２０で９０°光線方向を転じた後、第２ダイクロイックプリズム１８のダイクロイック膜１８ａを通過して第１ダイクロイックプリズム１７のダイクロイック膜１７ａで反射して９０°光線方向を転じ、往路とは反対の直線偏光となって、コリメータレンズ４８で収束光となり、ホログラム素子４６によって回折し、第２光検出器４７に集光する。そして、第２光検出器４７でＤＶＤ２の信号面２ｂを再生した時のトラッキングエラー信号，フォーカスエラー信号，メインデータ信号を検出している。
【００５０】
次に、ＣＤ３に対応して赤外半導体レーザー１４側について説明すると、赤外半導体レーザー１４から出射した波長λ３＝７８０ｎｍの第３レーザー光Ｌ３は直線偏光の発散光であり、この発散光がホログラムデバイス５０中のホログラム素子５１を通過する。この際、ホログラムデバイス５０は、前記したホログラムデバイス４５と同様な構成であり、赤外半導体レーザー１４と、この赤外半導体レーザー１４の上方に設置したホログラム素子５１と、赤外半導体レーザー１４の右方に設置した第３光検出器５２とを不図示の半導体基板上で一体化したものである。
【００５１】
この後、ホログラム素子５１を通過した第３レーザー光Ｌ３は、コリメータレンズ５３で平行光となり、第２ダイクロイックプリズム１８のダイクロイック膜１８ａで反射して９０°光線方向を転じた後、立ち上げ用の平面ミラー１９で９０°光線方向を転じ、収差補正素子組立体３０中の第１収差補正素子３２によって第３レーザー光Ｌ３に対して対物レンズ４２への開口数（ＮＡ）が０．４５相当になるように外周領域で開口を制限され且つ内周領域で第３レーザー光Ｌ３を回折して、１次回折光が拡散光となって収差補正素子組立体３０中の第２収差補正素子３６に入射し、更に、第２収差補正素子３６によって内周領域で回折されて拡散光となって対物レンズ４２に入射し、第３レーザー光Ｌ３を対物レンズ４２で絞って得た第３レーザービームをＣＤ３のレーザービーム入射面３ａから入射させて信号面３ｂ上に集光している。
【００５２】
この際、赤外半導体レーザー１４とＣＤ３の信号面３ｂとの間の光軸上に配置された集光光学系によって発生する球面収差を収差補正素子組立体３０中の第１，第２収差補正素子３２，３６で補正しているが、この球面収差が最小となった時に、対物レンズ４２とＣＤ３のレーザービーム入射面３ａとの間の距離、すなわち作動距離は０．１８ｍｍ程度である。
【００５３】
尚、第３レーザー光Ｌ３に対する収差補正素子組立体３０中の第１，第２収差補正素子３２，３６の作用についての詳細は後述する。
【００５４】
この後、対物レンズ４２で集光した第３レーザービームによってＣＤ３の信号面３ｂへの再生、記録、または消去が行われる。
【００５５】
更にこの後、ＣＤ３の信号面３ｂで反射された第３レーザービームによる戻りの第３反射光は、往路と反対回りの円偏光となって対物レンズ４２に入射し、１次回折光の第３反射光が対物レンズ４２と、第２，第１収差補正素子３６，３２とにより平行光となり、位相板２０を通って平面ミラー２０で９０°光線方向を転じた後、第２ダイクロイックプリズム１８のダイクロイック膜１８ａで反射して９０°光線方向を転じ、往路とは反対の直線偏光となって、コリメータレンズ５３で収束光となり、ホログラム素子５１によって回折し、第３光検出器５２に集光する。そして、第３光検出器５２でＣＤ３の信号面３ｂを再生した時のトラッキングエラー信号，フォーカスエラー信号，メインデータ信号を検出している。
【００５６】
ここで、第１実施例の要部となる収差補正素子組立体３０について図２を用いて説明する。
【００５７】
図２は第１実施例の要部となる収差補正素子組立体を説明するための図であり、（ａ）は上面図であり、（ｂ）は縦断面図であり、（ｃ）は第１，第２回折素子を拡大した拡大図である。
【００５８】
まず、図２（ａ），（ｂ）に示し如く、第１実施例の要部となる収差補正素子組立体３０では、枠体３１が上下を開口され且つ外側面が正方形状に形成されており、この枠体３１内に正方形状の第１収差補正素子３２が青色半導体レーザー１２，赤色半導体レーザー１３，赤外半導体レーザー１４側に向かって収納され、且つ、正方形状の第２収差補正素子３６が対物レンズ４２側に向かって収納されている。
【００５９】
上記した第１収差補正素子３２は、第１，第２レーザー光Ｌ１，Ｌ２をそのまま透過させた後に第２収差補正素子３６に入射させる一方、第３レーザー光Ｌ３に対して対物レンズ４２への開口を制限し且つ第３レーザー光Ｌ３をＣＤ３に対して球面収差を補正するように回折させた後に第２収差補正素子３６に入射させる機能を有している。
【００６０】
また、上記した第２収差補正素子３６は、第１レーザー光Ｌ１をそのまま透過させた後に対物レンズ４２に入射させる一方、第２レーザー光Ｌ２に対して対物レンズ４２への開口を制限し且つ第２，第３レーザー光Ｌ２，Ｌ３をＤＶＤ２，ＣＤ３に対して球面収差を補正するように回折させた後に対物レンズ４２に入射させる機能を有している。
【００６１】
より具体的に説明すると、上記した第１収差補正素子３２は、内周領域に第１階段状回折パターン部３３ａをリング状に形成し且つ内周領域に隣接した外周領域に対物レンズ４２への開口を制限するための第１開口制限部３３ｂを形成した第１回折素子３３と、第１回折素子３３の第１階段状回折パターン部３３ａ及び第１開口制限部３３ｂ側に封入する第１液晶３４と、第１液晶３４を封止するために枠体３１の下面を密閉るように取り付けた第１光透過性部材（第１ガラス基板）３５と、第１液晶３４を作動させるために第１回折素子３３の第１階段状回折パターン部３３ａ上及び第１開口制限部３３ｂ上と第１光透過性部材３５の上面とに互いに対向して成膜した一対の第１電極（図示せず）とから構成されている。
【００６２】
また、上記した第２収差補正素子３６は、第１収差補正素子３２と同様な構成であり、内周領域に第２階段状回折パターン部３７ａを第１回折素子３３の第１階段状回折パターン部３３ａの最大径よりも大径でリング状に形成し且つ内周領域に隣接した外周領域に対物レンズ４２への開口を制限するための第２開口制限部３７ｂを形成した第２回折素子３７と、第２回折素子３７の第２階段状回折パターン部３７ａ及び第２開口制限部３７ｂ側に封入する第２液晶３８と、第２液晶３８を封止するために枠体３１の上面を密閉るように取り付けた第２光透過性部材（第２ガラス基板）３９と、第２液晶３８を作動させるために第２回折素子３７の第２階段状回折パターン部３７ａ及び第２開口制限部３７ｂ上と第２光透過性部材３９の下面とに互いに対向して成膜した一対の第２電極（図示せず）とから構成されている。
【００６３】
この際、第１，第２収差補正素子３２，３６中の第１，第２回折素子３３，３７は、後述する回折素子作製方法により透明な石英基板とか、透明なホウケイ酸クラウンガラス（以下、ＢＫ７と記す）とか、透明樹脂などを用いてそれぞれ別体に作製し、第１回折素子３３の第１階段状回折パターン部３３ａ及び第１開口制限部３３ｂを下側に向け、且つ、第２回折素子３７の第２階段状回折パターン部３７ａ及び第２開口制限部３７ｂを上側に向けて、両者の中心を合わせて両者を貼り合わせて合体ものとするか、もしくは、１枚の基板の下面に第１階段状回折パターン部３３ａ及び第１開口制限部３３ｂを形成し、上面に第２階段状回折パターン部３７ａ及び第２開口制限部３７ｂを形成して一体ものとするかのいずれでも良い。
【００６４】
そして、第１，第２回折素子３３，３７同士を貼り合わせるか、もしくは第１，第２回折素子３３，３７を一体形成して、第１，第２液晶３４，３８をそれぞれ封入した時に、後述するように、第１収差補正素子３２と第２収差補正素子３６とをそれぞれ個別に制御している。
【００６５】
ここで、図２（ｃ）に拡大して示した如く、第１，第２回折素子３３，３７の内周領域に形成した第１，第２階段状回折パターン部３３ａ，３７ａは、例えば３段の段差を有して階段状にへこませた階段状凹部が中心“Ｏ”から外周に向かうにつれて周期Ｔを狭めて複数本リング状に形成されている。
【００６６】
また、第１，第２回折素子３３，３７の第１，第２階段状回折パターン部３３ａ，３７ａの階段状凹部の形状は、以下のようにして決められる。
【００６７】
即ち、ＤＶＤ用の波長λ２＝６６０ｎｍの第２レーザー光Ｌ２によって、超高密度光ディスク用に無限共役で最適化された対物レンズ４２を用いて、ディスク基板厚さｔ２が０．６ｍｍのＤＶＤ２を記録又は再生すると、球面収差が大きくなり、ＤＶＤ２の信号面２ｂを良好に記録又は再生することはできない。
【００６８】
そこで、対物レンズ４２に第２レーザー光Ｌ２の拡散光を入射させることによって発生する反対の球面収差で、超高密度光ディスク１のディスク基板厚さｔ１とＤＶＤ２のディスク基板厚さｔ２との差による球面収差を打ち消して、ＤＶＤ２の信号面２ｂ上で波面収差が最小となるように、第２回折素子３７の第２階段状回折パターン部３７ａの形状を決定する。
【００６９】
この際、下記の数１に示した位相差関数Φ（ｘ）中の位相差関数係数Ａ２〜Ａ１０を適宜な値にそれぞれ設定することで、第２回折素子３７の中心“Ｏ”からの半径方向の座標ｘにおける位相差が決まり、その位相差を２値化することによって第２回折素子３７の第２階段状回折パターン部３７ａの形状が決定される。
【００７０】
同様に、対物レンズ４２に第３レーザー光Ｌ３の拡散光を入射させることによって発生する反対の球面収差で、超高密度光ディスク１のディスク基板厚さｔ１とＣＤ３のディスク基板厚さｔ３との差による球面収差を打ち消して、ＣＤ３の信号面３ｂ上で波面収差が最小となるように、第１回折素子３３の第１階段状回折パターン部３３ａの形状を決定する。この際、第１，第２収差補正素子３２，３６中の第１，第２回折素子３３，３７を同時に働かせて、ディスク基板厚さｔ３が１．２ｍｍのＣＤを記録又は再生した場合の波面収差が最小となるように、第１回折素子３３の第１階段状回折パターン部３３ａに対して下記の数１に示した位相差関数Φ（ｘ）中の位相差関数係数Ａ２〜Ａ１０を適宜な値にそれぞれ設定することにより第１階段状回折パターン部３３ａの形状が決定される。
【００７１】
【数１】
Φ（ｘ）＝（２πｍ／λ）×（Ａ２ｘ２＋Ａ４ｘ４＋Ａ６ｘ６＋Ａ８ｘ８＋Ａ１０ｘ１０）
但し、Φ（ｘ）は位相差関数
ｍは回折次数
ｘは第１，第２階段状回折パターン部３３ａ，３７ａの中心“Ｏ”からの半径方向の距離
λは第１階段状回折パターン部３３ａに対する第３レーザー光Ｌ３の波長、又は、第２階段状回折パターン部３７ａに対する第２レーザー光Ｌ２の波長
である。
【００７２】
また、図２（ｃ）に拡大して示したように、第１，第２回折素子３３，３７の第１，第２階段状回折パターン部３３ａ，３７ａ中で例えば段差が３段の階段状凹部の深さｄは、青色半導体レーザー１２（図１）から出射した波長λ１＝４０５ｎｍの第１レーザー光Ｌ１に対して回折作用が発生しないように下記の数２から求めると、全く回折せずに第１レーザー光Ｌ１の０次光をそのまま透過するようになり、この際、３段の段差における１段当たりの深さはｄ／３になる。
【００７３】
【数２】
ｄ＝λ×ｉ／（ｎ−１）
但し、ｄは第１，第２階段状回折パターン部３３ａ，３７ａの階段状凹部の深さ
λは第１階段状回折パターン部３３ａに対する第１レーザー光Ｌ１の波長、又は、第２階段状回折パターン部３７ａに対する第１レーザー光Ｌ１の波長
ｉは自然数（例えばｉ＝１）
ｎは第１レーザー光Ｌ１に対する第１階段状回折パターン部３３ａの屈折率、又は、第１レーザー光Ｌ１に対する第２階段状回折パターン部３７ａの屈折率
である。
【００７４】
この際、第１，第２回折素子３３，３７の硝材としてＢＫ７（ホウケイ酸クラウンガラス）を用いた場合には、青色半導体レーザー１２（図１）から出射した波長λ１＝４０５ｎｍの第１レーザー光Ｌ１に対する屈折率ｎ１は１．５３０２である。
【００７５】
また、図２（ａ），（ｂ）に戻り、第１，第２回折素子３３，３７の第１，第２開口制限部３３ｂ，３７ｂは、内周領域に隣接した外周領域にダイクロイック膜をそれぞれリング状に成膜している。そして、第１回折素子３３の第１開口制限部３３ｂに成膜したダイクロイック膜は、波長λ１＝４０５ｎｍの第１レーザー光Ｌ１及び波長λ２＝６６０ｎｍの第２レーザー光Ｌ２を透過し、且つ、波長λ３＝７８０ｎｍの第３レーザー光Ｌ３を遮断する特性を有している。一方、第２回折素子３７の第２開口制限部３７ｂに成膜したダイクロイック膜は、波長λ１＝４０５ｎｍの第１レーザー光Ｌ１を透過し、且つ、波長λ２＝６６０ｎｍの第２レーザー光Ｌ２及び波長λ３＝７８０ｎｍの第３レーザー光Ｌ３を遮断する特性を有している。
【００７６】
尚、第１，第２回折素子３３，３７の第１，第２開口制限部３３ｂ，３７ｂとしてダイクロイック膜を成膜せずにこれに代えて同様の性能を有した凹凸状の回折格子などを用いても良い。
【００７７】
ここで、第１回折素子３３又は第２回折素子３７の作製方法について、図３（ａ）〜（ｉ）を用いて説明する。
【００７８】
図３（ａ）〜（ｆ）は第１実施例の要部となる収差補正素子組立体において、第１，第２回折素子の作製方法を説明するための工程図である。
【００７９】
まず、図３（ａ）に示した第１露光工程では、図２で説明した第１，第２回折素子３３，３７の内周領域に例えば３段の段差を有して形成した第１，第２階段状回折パターン部３３ａ，３７ａに対応して、階段状凹部の３段分の横幅寸法で貫通孔を穿設した第１マスクを電子線描画装置により作製し、この第１マスクを例えば光透過性を有する石英基板上に成膜したレジストと対向させ、第１マスクの上方からＵＶ光を照射して、第１マスクの貫通孔を通ったＵＶ光でレジストを露光する。
【００８０】
次に、図３（ｂ）に示した第１現像工程では、ＵＶ光で露光したレジスト部位を除去して石英基板の一部を露出させると共に、石英基板上でＵＶ光を露光していないレジスト部位を残す。
【００８１】
次に、図３（ｃ）に示した第１エッチング／レジスト除去工程では、石英基板を露出させた部位をエッチング液を用いてエッチングし、この後、石英基板上に残ったレジストを除去すると、石英基板上に１段目の階段状凹部が３段分の横幅寸法で形成される。
【００８２】
次に、図３（ｄ）に示した第２露光工程では、第１，第２階段状回折パターン部３３ａ，３７ａに対応して、階段状凹部の２段分の横幅寸法で貫通孔を穿設した第２マスクを電子線描画装置により作製し、図３（ａ）と同じ処理を行う。この後、図３（ｅ）に示した第２現像工程及び図３（ｆ）に示した第２エッチング／レジスト除去工程も図３（ｂ）及び図３（ｃ）と同様な処理を行うと、階段状凹部の１段目が１段分の横幅寸法で形成されると共に、２段目が２段分の横幅寸法で形成される。
【００８３】
次に、図３（ｇ）に示した第３露光工程では、第１，第２階段状回折パターン部３３ａ，３７ａに対応して、階段状凹部の１段分の横幅寸法で貫通孔を穿設した第３マスクを電子線描画装置により作製し、図３（ａ），図３（ｄ）と同じ処理を行う。この後、図３（ｈ）に示した第３現像工程及び図３（ｉ）に示した第３エッチング／レジスト除去工程も図３（ｂ），（ｅ）及び図３（ｃ），（ｆ）と同様な処理を行うと、階段状凹部が３段の段差を持って形成され、石英基板を用いた第１回折素子３３又は第２回折素子３７が作製される。この際、１枚の石英基板で多数個の第１回折素子３３又は第２回折素子３７を作製できるように第１〜第３マスクを予め作製し、第３エッチング／レジスト除去工程が終了した段階で石英基板から多数個をカッティングすれば、１枚の石英基板で多数個の第１回折素子３３又は第２回折素子３７を作製でき、コストを抑えることができる。
【００８４】
また、第１，第２回折素子３３，３７の硝材に透明なＢＫ７（ホウケイ酸クラウンガラス）を用いた場合も上記と同様な方法を用いて作製すれば良い。
【００８５】
更に、エッチングする基板は透明な石英基板，透明なＢＫ７でなくても良く、例えば不透明なシリコン基板とすることもできる。このシリコン基板から階段状回折パターン部を反転させて型となるニッケルスタンパを作製し、このニッケルスタンパを用いて透明樹脂を流して階段状回折パターン部を成型することによって、材料費が安価な透明樹脂を用いて第１回折素子３３又は第２回折素子３７を量産でき、コストをより低く抑えることができる。
【００８６】
ここで、第１実施例の要部となる収差補正素子組立体３０と超高密度光ディスク用として設計した対物レンズ４２とにより、超高密度光ディスク１又はＤＶＤ２もしくはＣＤ３を記録又は再生する場合について、図４〜図８を用いて説明する。
【００８７】
図４は第１実施例の要部となる収差補正素子組立体と対物レンズとにより超高密度光ディスクを記録又は再生する場合を模式的に示した図、
図５は第１実施例の要部となる収差補正素子組立体と対物レンズとによりＤＶＤを記録又は再生する場合を模式的に示した図、
図６は第１実施例の要部となる収差補正素子組立体と対物レンズとによりＣＤを記録又は再生する場合を模式的に示した図、
図７は第１実施例の要部となる収差補正素子組立体に波長λ１の第１レーザー光が入射した時に超高密度光ディスクに対する回折効率と、波長λ２の第２レーザー光が入射した時にＤＶＤに対する回折効率と、波長λ３の第３レーザー光が入射した時にＣＤに対する回折効率と、第１，第２回折素子中の階段状凹部の深さとの関係を示した図、
図８は本発明に係る第１実施例の光ピックアップ装置を用いた時に、超高密度光ディスク，ＤＶＤ，ＣＤでの波面収差のシミュレーション結果を示した図である。
【００８８】
まず、図４に示した如く、第１実施例の要部となる収差補正素子組立体３０と対物レンズ４２とにより超高密度光ディスク１を記録又は再生する場合には、青色半導体レーザー１２（図１）を作動させて、青色半導体レーザー１２から出射させた波長λ１＝４０５ｎｍの第１レーザー光Ｌ１を収差補正素子組立体３０を構成する第１，第２収差補正素子３２，３６に順に入射させると、ＢＫ７（ホウケイ酸クラウンガラス）を用いた第１，第２回折素子３３，３７の屈折率ｎ１が前述したように波長λ１＝４０５ｎｍの第１レーザー光Ｌ１に対して１．５３０２として得られる。
【００８９】
ここで、第１，第２液晶３４，３８の屈折率が第１，第２回折素子３３，３７の屈折率ｎ１と略同じになるように第１，第２液晶３４，３８に対して図示しない一対の第１電極，一対の第２電極を介して所定の電圧Ｖ１をそれぞれ印加することで、第１レーザー光Ｌ１を第１回折素子３３の外周領域に形成した第１開口制限部３３ｂでそのまま透過させた後に平行光のままで第２回折素子３７に入射させると共に、第１回折素子３３の内周領域に形成した第１階段状回折パターン部３３ａで回折させずにそのまま透過させた後に平行光のままで第２回折素子３７に入射させ、この後、第２回折素子３７の外周領域に形成した第２開口制限部３７ｂでそのまま透過させた後に平行光のままで対物レンズ４２の第１面４２ａに入射させると共に、第２回折素子３７の内周領域に形成した第２階段状回折パターン部３７ａで回折させずにそのまま透過させた後に平行光のままで対物レンズ４２の第１面４２ａに入射させている。
【００９０】
そして、対物レンズ４２の第１，第２面４２ａ，４２ｂで絞った第１レーザービームを超高密度光ディスク１のレーザービーム入射面１ａから入射させてディスク基板厚さｔ１が０．１ｍｍの信号面１ｂに集光させている。
【００９１】
この場合には、波長λ１＝４０５ｎｍの第１レーザー光Ｌ１に対して第１，第２回折素子３３，３７の第１，第２階段状回折パターン部３３ａ，３７ａで回折が生じないため、第１，第２回折素子３３，３７での反射並びに吸収以外の光量損失がなく、０次光の回折効率は１００％である。現時点では、波長λ１＝４０５ｎｍの青色半導体レーザー２２（図１）の出力が低いため、光ピックアップ装置１０の各光学部品においては、光量損失が少ないことが必須となっている。
【００９２】
次に、図５に示した如く、第１実施例の要部となる収差補正素子組立体３０と対物レンズ４２とによりＤＶＤ２を記録又は再生する場合には、赤色半導体レーザー１３（図１）を作動させて、赤色半導体レーザー１３から出射させた波長λ２＝６６０ｎｍの第２レーザー光Ｌ２を収差補正素子組立体３０を構成する第１，第２収差補正素子３２，３６に順に入射させると、ＢＫ７（ホウケイ酸クラウンガラス）を用いた第１，第２回折素子３３，３７の屈折率ｎ２が波長λ２＝６６０ｎｍの第２レーザー光Ｌ２に対して１．５１４２として得られる。
【００９３】
ここで、第１液晶３４の屈折率が第１回折素子３３の屈折率ｎ２と略同じになるように第１液晶３４に対して図示しない一対の第１電極を介して所定の電圧Ｖ２ａを印加すると共に、第２液晶３８に対しては第２回折素子３７との間に屈折率差が生じるように図示しない一対の第２電極を介して所定の電圧Ｖ２ｂを印加することで、第２レーザー光Ｌ２を第１回折素子３３の外周領域に形成した第１開口制限部３３ｂでそのまま透過させた後に平行光のままで第２回折素子３７に入射させると共に、第１回折素子３３の内周領域に形成した第１階段状回折パターン部３３ａで回折させずにそのまま透過させた後に平行光のままで第２回折素子３７に入射させ、この後、第２レーザー光Ｌ２を第２回折素子３７の外周領域に形成した第２開口制限部３７ｂで対物レンズ４２への開口数（ＮＡ）が０．６となるように開口制限させると共に、第２回折素子３７の内周領域に形成した第２階段状回折パターン部３７ａでＤＶＤ２に対して球面収差を補正するように拡径しながら回折させた後に対物レンズ４２の第１面４２ａに入射させている。
【００９４】
そして、対物レンズ４２の第１，第２面４２ａ，４２ｂで絞った第２レーザービームをＤＶＤ２のレーザービーム入射面２ａから入射させてディスク基板厚さが０．６ｍｍの信号面２ｂに集光している。
【００９５】
この場合、前述したように、対物レンズ４２はディスク基板厚さｔ１＝０．１ｍｍの超高密度光ディスク用として設計されているので、赤色半導体レーザー１３（図１）から出射した波長λ２＝６６０ｎｍの第２レーザー光Ｌ２に対して球面収差が大きくなるものの、第２回折素子３７の第２階段状回折パターン部３７ａで回折させた第２レーザー光Ｌ２の拡散光を対物レンズ４２に入射させることにより、反対の球面収差を発生させ、超高密度光ディスク１のディスク基板厚さｔ１とＤＶＤ２のディスク基板厚さｔ２との差による球面収差を打ち消して、ディスク基板厚さｔ２＝０．６ｍｍのＤＶＤ２の信号面２ｂ上で１次回折光の波面収差が最小となる。
【００９６】
次に、図６に示した如く、第１実施例の要部となる収差補正素子組立体３０と対物レンズ４２とによりＣＤ３を記録又は再生する場合には、赤外半導体レーザー１４（図１）を作動させて、赤外半導体レーザー１４から出射させた波長λ３＝７８０ｎｍの第３レーザー光Ｌ３を収差補正素子組立体３０を構成する第１，第２収差補正素子３２，３６に順に入射させると、ＢＫ７（ホウケイ酸クラウンガラス）を用いた第１，第２回折素子３３，３７の屈折率ｎ３が波長λ３＝７８０ｎｍの第３レーザー光Ｌ３に対して１．５１１１として得られる。
【００９７】
ここで、第３レーザー光Ｌ３への第１回折素子３３の第１階段状回折パターン部３３ａが所定の位相差関数になり、且つ、第１液晶３４に対して第１回折素子３３との間に屈折率差が生じるように図示しない一対の第１電極を介して所定の電圧Ｖ３ａを印加すると共に、第３レーザー光Ｌ３への第２回折素子３７の第２階段状回折パターン部３７ａが所定の位相差関数になり、且つ、第２液晶３８に対しても第２回折素子３７との間に屈折率差が生じるように図示しない一対の第２電極を介して所定の電圧Ｖ３ｂを印加することで、第３レーザー光Ｌ３を第１回折素子３３の外周領域に形成した第１開口制限部３３ｂで対物レンズ４２への開口数（ＮＡ）が０．４５となるように開口制限させると共に、第１回折素子３３の内周領域に形成した第１階段状回折パターン部３３ａでＣＤ３に対して球面収差を補正するように拡径しながら回折させた後に第２回折素子３３に入射させ、この後、第２回折素子３７の内周領域に形成した第２階段状回折パターン部３７ａでＣＤ３に対して球面収差を補正するように更に拡径しながら回折させた後に対物レンズ４２の第１面４２ａに入射させている。
【００９８】
そして、対物レンズ４２の第１，第２面４２ａ，４２ｂで絞った第３レーザービームをＣＤ３のレーザービーム入射面３ａから入射させてディスク基板厚さｔ３が１．２ｍｍの信号面３ｂに集光している。
【００９９】
この場合でも、前述したように、対物レンズ４２は超高密度光ディスク用として設計されているので、赤外半導体レーザー１４（図１）から出射した波長λ３＝７８０ｎｍの第３レーザー光Ｌ３に対して球面収差が大きくなるものの、第１，第２回折素子３３３，３７の第１，第２階段状回折パターン部３３ａ，３７ａで回折させた第３レーザー光Ｌ３の拡散光を対物レンズ４２に入射させることにより、反対の球面収差を発生させ、超高密度光ディスク１のディスク基板厚さｔ１とＣＤ３のディスク基板厚さｔ３との差による球面収差を打ち消して、ディスク基板厚さｔ３＝１．２ｍｍのＣＤ３の信号面３ｂ上で１次回折光の波面収差が最小となる。
【０１００】
以上のように構成することによって、３種類の波長λ１〜λ３の第１〜第３レーザー光Ｌ１〜Ｌ３により、基板厚さの異なる３種類の光記録媒体を、超高密度光記録媒体用として設計した一つの対物レンズ４２で記録又は再生することができる。
【０１０１】
そして、図７に示したように、第１実施例の要部となる収差補正素子組立体３０に第１〜第３レーザー光Ｌ１〜Ｌ３が入射した時に、第１〜第３レーザー光Ｌ１〜Ｌ３の各波長λ１＝４０５ｎｍ，λ２＝６６０，λ３＝７８０ｎｍでの回折効率を算出すると、第１，第２回折素子３３，３７の第１，第２階段状回折パターン部３３ａ，３７ａ中の階段状凹部の深さｄを、１〜１．２５μｍに設定すれば、ＤＶＤ２でもＣＤ３でも６０％以上の回折効率が得られ、パワーの出せる赤色や赤外の半導体レーザーであれば十分な効率である。
【０１０２】
また、図８に示したように、本発明に係る第１実施例の光ピックアップ装置１０を用いた時に、超高密度光ディスク１，ＤＶＤ２，ＣＤ３での波面収差のシミュレーション結果から、３種類の波長で、波面収差が０．０１λｒｍｓ以下となっていて、これも十分な性能である。
【０１０３】
尚、実施例では３種類の波長の例で示したが、４種類以上への応用も可能である。
【０１０４】
＜第２実施例＞
図９は本発明に係る第２実施例の光ピックアップ装置の全体構成を示した図、図１０は第２実施例の要部となる収差補正素子組立体を説明するための図であり、（ａ）は上面図であり、（ｂ）は縦断面図であり、（ｃ）は第１，第２回折素子を拡大した拡大図である。
【０１０５】
図９に示した本発明に係る第２実施例の光ピックアップ装置１０’は、先に図１を用いて説明した本発明に係る第１実施例の光ピックアップ装置１０内に設けた収差補正素子組立体３０に代えて、この収差補正素子組立体３０に対して一部簡素化を図った収差補正素子組立体３０’を用いた点が第１実施例と異なるだけであり、説明の便宜上、先に示した構成部材と同じ構成部材に対しては同一の符号を付して図示し、且つ、異なる構成部材に対して新たな符号を付して第１実施例と異なる点を中心にして説明する。
【０１０６】
即ち、図９に示した本発明に係る第２実施例の光ピックアップ装置１０’も、第１実施例と同様に、超高密度光ディスク１と、ＤＶＤ２と、ＣＤ３と、これらの光ディスク１〜３を適宜組み合わせて一体的に形成した組み合わせ型光記録媒体とを選択的に適用可能に開発したものである。
【０１０７】
ここで、第１実施例に対して異なる点について説明すると、第２実施例の要部となる収差補正素子組立体３０’は、位相板２０の上方に設けたレンズホルダ４１内の下方部位に嵌め込まれ、且つ、超高密度光ディスク用として設計した対物レンズ４２がレンズホルダ４１内の上方部位に取り付けられている。
【０１０８】
この際、収差補正素子組立体３０’は、枠体３１内の下方部位に位相板２０側と対向するように第１収差補正素子３２が第１実施例と同様に収納されているものの、枠体３１内の上方部位に対物レンズ４３側と対向するように第２収差補正素子３６’が第１実施例に対して一部簡素化を図った状態で収納されている。そして、第１，第２収差補正素子３２，３６’を収納した枠体３１をレンズホルダ４１内の下方部位に嵌め込んだ際に、第１，第２収差補正素子３２，３６’の中心を対物レンズ４３の光軸と一致させることで、コマ収差の発生を抑えている。
【０１０９】
より具体的には、図１０（ａ），（ｂ）に示し如く、第２実施例の要部となる収差補正素子組立体３０’において、枠体３１内で位相板２０側と対向するように収納した第１収差補正素子３２は、第１実施例と全く同じ構成であり、内周領域に第１階段状回折パターン部３３ａをリング状に形成し且つ内周領域に隣接した外周領域に対物レンズ４２への開口を制限するための第１開口制限部３３ｂを形成した第１回折素子３３と、第１回折素子３３の第１階段状回折パターン部３３ａ及び第１開口制限部３３ｂ側に封入する第１液晶３４と、第１液晶３４を封止するために枠体３１の下面を密閉るように取り付けた第１光透過性部材（第１ガラス基板）３５と、第１液晶３４を作動させるために第１回折素子３３の第１階段状回折パターン部３３ａ上及び第１開口制限部３３ｂ上と第１光透過性部材３５の上面とに互いに対向して成膜した一対の第１電極（図示せず）とから構成されている。
【０１１０】
一方、枠体３１内で対物レンズ４２側と対向するように収納した第２収差補正素子３６’は、第１実施例に対して一部簡素化を図って第２液晶及び第２光透過性部材を削除した構成であり、内周領域に第２階段状回折パターン部３７ａを第１回折素子３３の第１階段状回折パターン部３３ａの最大径よりも大径でリング状に形成し且つ内周領域に隣接した外周領域に対物レンズ４２への開口を制限するための第２開口制限部３７ｂを形成した第２回折素子３７のみからなり、この第２回折素子３７に形成した第２階段状回折パターン部３７ａ及び第２開口制限部３７ｂが屈折率ｎ０＝１．０００２９３の空気に常時触れている。
【０１１１】
従って、第２回折素子３７は、第２階段状回折パターン部３７ａと空気との間での屈折率差が第１〜第３レーザー光Ｌ１〜Ｌ３の各波長λ１〜λ３に対してそれぞれ固定されてしまうため、これに伴って、第１，第２回折素子３３，３７の第１，第２階段状回折パターン部３３ａ，３７ａ中の階段状凹部の深さｄは、後述する回折効率の結果から０．７〜０．７５μｍに予め設定されている。
【０１１２】
ここで、第２実施例の要部となる収差補正素子組立体３０’と超高密度光ディスク用として設計した対物レンズ４２とにより、超高密度光ディスク１又はＤＶＤ２もしくはＣＤ３を記録又は再生する場合について、図１１〜図１４を用いて説明する。
【０１１３】
図１１は第２実施例の要部となる収差補正素子組立体と対物レンズとにより超高密度光ディスクを記録又は再生する場合を模式的に示した図、
図１２は第２実施例の要部となる収差補正素子組立体と対物レンズとによりＤＶＤを記録又は再生する場合を模式的に示した図、
図１３は第２実施例の要部となる収差補正素子組立体と対物レンズとによりＣＤを記録又は再生する場合を模式的に示した図、
図１４は第２実施例の要部となる収差補正素子組立体に波長λ１の第１レーザー光が入射した時に超高密度光ディスクに対する回折効率と、波長λ２の第２レーザー光が入射した時にＤＶＤに対する回折効率と、波長λ３の第３レーザー光が入射した時にＣＤに対する回折効率と、第１，第２回折素子中の階段状凹部の深さとの関係を示した図である。
【０１１４】
まず、図１１に示した如く、第２実施例の要部となる収差補正素子組立体３０’と対物レンズ４２とにより超高密度光ディスク１を記録又は再生する場合には、青色半導体レーザー１２（図９）を作動させて、青色半導体レーザー１２から出射させた波長λ１＝４０５ｎｍの第１レーザー光Ｌ１を収差補正素子組立体３０’を構成する第１，第２収差補正素子３２，３６’に順に入射させると、ＢＫ７（ホウケイ酸クラウンガラス）を用いた第１，第２回折素子３３，３７の屈折率ｎ１が前述したように波長λ１＝４０５ｎｍの第１レーザー光Ｌ１に対して１．５３０２として得られる。
【０１１５】
ここで、第２実施例では第１収差補正素子３２に対して第１液晶３４が設けられているものの、第２収差補正素子３６’は第２液晶が設けられていないので、第１液晶３４の屈折率が第１回折素子３３の屈折率ｎ１と略同じになるように第１液晶３４に対して図示しない一対の第１電極を介して所定の電圧Ｖ１を印加することで、第１レーザー光Ｌ１を第１回折素子３３の外周領域に形成した第１開口制限部３３ｂでそのまま透過させた後に平行光のままで第２回折素子３７に入射させると共に、第１回折素子３３の内周領域に形成した第１階段状回折パターン部３３ａで回折させずにそのまま透過させた後に平行光のままで第２回折素子３７に入射させ、この後、第２回折素子３７と空気との間に屈折率差があるものの第２回折素子３７は第１レーザー光Ｌ１に対して回折しないように予め設計されているために第１レーザー光Ｌ１を第２回折素子３７の外周領域に形成した第２開口制限部３７ｂでそのまま透過させた後に平行光のままで対物レンズ４２の第１面４２ａに入射させると共に、第２回折素子３７の内周領域に形成した第２階段状回折パターン部３７ａで回折させずにそのまま透過させた後に平行光のままで対物レンズ４２の第１面４２ａに入射させている。
【０１１６】
そして、対物レンズ４２の第１，第２面４２ａ，４２ｂで絞った第１レーザービームを超高密度光ディスク１のレーザービーム入射面１ａから入射させてディスク基板厚さｔ１が０．１ｍｍの信号面１ｂに集光させている。
【０１１７】
次に、図１２に示した如く、第２実施例の要部となる収差補正素子組立体３０’と対物レンズ４２とによりＤＶＤ２を記録又は再生する場合には、赤色半導体レーザー１３（図９）を作動させて、赤色半導体レーザー１３から出射させた波長λ２＝６６０ｎｍの第２レーザー光Ｌ２を収差補正素子組立体３０’を構成する第１，第２収差補正素子３２，３６’に順に入射させると、ＢＫ７（ホウケイ酸クラウンガラス）を用いた第１，第２回折素子３３，３７の屈折率ｎ２が波長λ２＝６６０ｎｍの第２レーザー光Ｌ２に対して１．５１４２として得られる。
【０１１８】
ここで、第１液晶３４の屈折率が第１回折素子３３の屈折率ｎ２と略同じになるように第１液晶３４に対して図示しない一対の第１電極を介して所定の電圧Ｖ２を印加することで、第２レーザー光Ｌ２を第１回折素子３３の外周領域に形成した第１開口制限部３３ｂでそのまま透過させた後に平行光のままで第２回折素子３７に入射させると共に、第１回折素子３３の内周領域に形成した第１階段状回折パターン部３３ａで回折させずにそのまま透過させた後に平行光のままで第２回折素子３７に入射させ、この後、第２回折素子３７と空気との間に屈折率差があるので、第２レーザー光Ｌ２を第２回折素子３７の外周領域に形成した第２開口制限部３７ｂで対物レンズ４２への開口数（ＮＡ）が０．６となるように開口制限させると共に、第２回折素子３７の内周領域に形成した第２階段状回折パターン部３７ａでＤＶＤ２に対して球面収差を補正するように拡径しながら回折させた後に対物レンズ４２の第１面４２ａに入射させている。
【０１１９】
そして、対物レンズ４２の第１，第２面４２ａ，４２ｂで絞った第２レーザービームをＤＶＤ２のレーザービーム入射面２ａから入射させてディスク基板厚さが０．６ｍｍの信号面２ｂに集光している。
【０１２０】
次に、図１３に示した如く、第２実施例の要部となる収差補正素子組立体３０’と対物レンズ４２とによりＣＤ３を記録又は再生する場合には、赤外半導体レーザー１４（図９）を作動させて、赤外半導体レーザー１４から出射させた波長λ３＝７８０ｎｍの第３レーザー光Ｌ３を収差補正素子組立体３０’を構成する第１，第２収差補正素子３２，３６’に順に入射させると、ＢＫ７（ホウケイ酸クラウンガラス）を用いた第１，第２回折素子３３，３７の屈折率ｎ３が波長λ３＝７８０ｎｍの第３レーザー光Ｌ３に対して１．５１１１として得られる。
【０１２１】
ここで、第３レーザー光Ｌ３への第１回折素子３３の第１階段状回折パターン部３３ａが所定の位相差関数になり、且つ、第１液晶３４に対して第１回折素子３３との間に屈折率差が生じるように図示しない一対の第１電極を介して所定の電圧Ｖ３を印加することで、第３レーザー光Ｌ３を第１回折素子３３の外周領域に形成した第１開口制限部３３ｂで対物レンズ４２への開口数（ＮＡ）が０．４５となるように開口制限させると共に、第１回折素子３３の内周領域に形成した第１階段状回折パターン部３３ａでＣＤ３に対して球面収差を補正するように拡径しながら回折させた後に第２回折素子３３に入射させ、この後、第２回折素子３７と空気との間に屈折率差があるので、第２回折素子３７の内周領域に形成した第２階段状回折パターン部３７ａでＣＤ３に対して球面収差を補正するように更に拡径しながら回折させた後に対物レンズ４２の第１面４２ａに入射させている。
【０１２２】
そして、対物レンズ４２の第１，第２面４２ａ，４２ｂで絞った第３レーザービームをＣＤ３のレーザービーム入射面３ａから入射させてディスク基板厚さｔ３が１．２ｍｍの信号面３ｂに集光している。
【０１２３】
この際、図１４に示したように、第２実施例の要部となる収差補正素子組立体３０’に第１〜第３レーザー光Ｌ１〜Ｌ３が入射した時に、第１収差補正素子３２は第１回折素子３３と第１液晶３４との間で屈折率差を制御できるものの、第２収差補正素子３６’は第２回折素子３７と空気との間での屈折率差が第１〜第３レーザー光Ｌ１〜Ｌ３の各波長λ１＝４０５ｎｍ，λ２＝６６０，λ３＝７８０ｎｍに対してそれぞれ固定されているために、第１〜第３レーザー光Ｌ１〜Ｌ３の各波長λ１＝４０５ｎｍ，λ２＝６６０，λ３＝７８０ｎｍでの回折効率を算出すると図示した如くになり、これに伴って、第１，第２回折素子３３，３７の第１，第２階段状回折パターン部３３ａ，３７ａ中の階段状凹部の深さｄを、０．７〜０．７５μｍあたりに設定すれば、超高密度光ディスク１，ＤＶＤ２，ＣＤ３に対してバランスの良い回折効率を得ることができる。
【０１２４】
【発明の効果】
以上詳述した本発明に係る光ピックアップ装置によると、第１光記録媒体と、第１光記録媒体よりも記録密度が低い第２光記録媒体と、第２光記録媒体よりも記録密度が低い第３光記録媒体と、第１〜第３光記録媒体を適宜組み合わせて一体的に形成した組み合わせ型光記録媒体とを選択的に記録又は再生するにあたって、光ピックアップ装置内に、第１光記録媒体に対応して波長が４５０ｎｍ以下の第１レーザー光を出射させる第１レーザー光源と、第２光記録媒体に対応して第１レーザー光よりも波長が長い第２レーザー光を出射させる第２レーザー光源と、第３光記録媒体に対応して第２レーザー光よりも波長が長い第３レーザー光を出射させる第３レーザー光源と、第１光記録媒体用として開口数（ＮＡ）が０．７５以上に設定され、且つ、互いに対向する第１，第２面のうち少なくとも一方の面が非球面に形成されて、第１〜第３レーザー光を第１〜第３光記録媒体の各信号面に集光させる対物レンズと、第１〜第３レーザー光源と対物レンズとの間に設けられ、枠体内に第１収差補正素子を第１〜第３レーザー光源側に収納し、且つ、第２収差補正素子を対物レンズ側に収納した収差補正素子組立体とを備え、第１収差補正素子は、第１，第２レーザー光をそのまま透過させた後に第２収差補正素子に入射させる一方、第３レーザー光に対して対物レンズへの開口を制限し且つ第３レーザー光を第３光記録媒体に対して収差を補正するように回折させた後に第２収差補正素子に入射させ、第２収差補正素子は、第１レーザー光をそのまま透過させた後に対物レンズに入射させる一方、第２レーザー光に対して対物レンズへの開口を制限し且つ第２，第３レーザー光を第２，第３光記録媒体に対して収差を補正するように回折させた後に対物レンズに入射させているために、第１光記録媒体用として設計した一つの対物レンズで第１光記録媒体と、第１光記録媒体よりも記録密度が低い第２光記録媒体と、第２光記録媒体よりも記録密度が低い第３光記録媒体と、第１〜第３光記録媒体を適宜組み合わせて一体的に形成した組み合わせ型光記録媒体とを収差なく良好に記録又は再生できる。
【図面の簡単な説明】
【図１】本発明に係る第１実施例の光ピックアップ装置の全体構成を示した図である。
【図２】第１実施例の要部となる収差補正素子組立体を説明するための図であり、（ａ）は上面図であり、（ｂ）は縦断面図であり、（ｃ）は第１，第２回折素子を拡大した拡大図である。
【図３】（ａ）〜（ｉ）は第１実施例の要部となる収差補正素子組立体において、第１，第２回折素子の作製方法を説明するための工程図である。
【図４】第１実施例の要部となる収差補正素子組立体と対物レンズとにより超高密度光ディスクを記録又は再生する場合を模式的に示した図である。
【図５】第１実施例の要部となる収差補正素子組立体と対物レンズとによりＤＶＤを記録又は再生する場合を模式的に示した図である。
【図６】第１実施例の要部となる収差補正素子組立体と対物レンズとによりＣＤを記録又は再生する場合を模式的に示した図である。
【図７】第１実施例の要部となる収差補正素子組立体に波長λ１の第１レーザー光が入射した時に超高密度光ディスクに対する回折効率と、波長λ２の第２レーザー光が入射した時にＤＶＤに対する回折効率と、波長λ３の第３レーザー光が入射した時にＣＤに対する回折効率と、第１，第２回折素子中の階段状凹部の深さとの関係を示した図である。
【図８】本発明に係る第１実施例の光ピックアップ装置を用いた時に、超高密度光ディスク，ＤＶＤ，ＣＤでの波面収差のシミュレーション結果を示した図である。
【図９】本発明に係る第２実施例の光ピックアップ装置の全体構成を示した図である。
【図１０】第２実施例の要部となる収差補正素子組立体を説明するための図であり、（ａ）は上面図であり、（ｂ）は縦断面図であり、（ｃ）は第１，第２回折素子を拡大した拡大図である。
【図１１】第２実施例の要部となる収差補正素子組立体と対物レンズとにより超高密度光ディスクを記録又は再生する場合を模式的に示した図である。
【図１２】第２実施例の要部となる収差補正素子組立体と対物レンズとによりＤＶＤを記録又は再生する場合を模式的に示した図である。
【図１３】第２実施例の要部となる収差補正素子組立体と対物レンズとによりＣＤを記録又は再生する場合を模式的に示した図である。
【図１４】第２実施例の要部となる収差補正素子組立体に波長λ１の第１レーザー光が入射した時に超高密度光ディスクに対する回折効率と、波長λ２の第２レーザー光が入射した時にＤＶＤに対する回折効率と、波長λ３の第３レーザー光が入射した時にＣＤに対する回折効率と、第１，第２回折素子中の階段状凹部の深さとの関係を示した図である。
【図１５】従来の光ピックアップ装置の一例を示した構成図である。
【符号の説明】
１…第１光記録媒体（超高密度光ディスク）、
１ａ…レーザービーム入射面、１ｂ…信号面、
２…第２光記録媒体（ＤＶＤ）、
２ａ…レーザービーム入射面、２ｂ…信号面、
３…第２光記録媒体（ＣＤ）、
３ａ…レーザービーム入射面、３ｂ…信号面、
１０…第１実施例の光ピックアップ装置、
１０’…第２実施例の光ピックアップ装置、
１１…ピックアップ筐体、
１２…第１レーザー光源（青色半導体レーザー）、
１３…第２レーザー光源（赤色半導体レーザー）、
１４…第３レーザー光源（赤外半導体レーザー）、
４１…レンズホルダ、
３０…第１実施例の要部となる収差補正素子組立体、
３０’…第２実施例の要部となる収差補正素子組立体、
３１…枠体、
３２…第１収差補正素子、
３３…第１回折素子、
３３ａ…第１階段状回折パターン部、３３ｂ…第１開口制限部、
３４…第１液晶、３５…第１光透過性部材（第１ガラス基板）、
３６…第１実施例の第２収差補正素子、
３６’…第２実施例の第２収差補正素子、
３７…第２回折素子、
３７ａ…第２階段状回折パターン部、３７ｂ…第２開口制限部、
３８…第２液晶、３９…第２光透過性部材（第２ガラス基板）、
λ１…青色半導体レーザーから出射した第１レーザー光の波長、
λ２…赤色半導体レーザーから出射した第２レーザー光の波長、
λ３…赤外半導体レーザーから出射した第３レーザー光の波長。
【図１】
2005011466.tif 000003
【図２】
2005011466.tif 000004
【図３】
2005011466.tif 000005
【図４】
2005011466.tif 000006
【図５】
2005011466.tif 000007
【図６】
2005011466.tif 000008
【図７】
2005011466.tif 000009
【図８】
2005011466.tif 000010
【図９】
2005011466.tif 000011
【図１０】
2005011466.tif 000012
【図１１】
2005011466.tif 000013
【図１２】
2005011466.tif 000014
【図１３】
2005011466.tif 000015
【図１４】
2005011466.tif 000016
【図１５】
2005011466.tif 000017